(57)【要約】      （修正有）【課題】ボールバルブを備えたシリンジアダプタを提供する。【解決手段】ボールバルブを備えるシリンジアダプタは、ベース１０と、該ベースの周囲に取り付けられた投薬管２０と、該投薬管及び前記ベースに取り付けられた弾性バルブ３０とを含む。前記ベースは、相互に連通した案内溝１１２及び内部液経路１２２と、排出経路１６とを備える。前記シリンジアダプタに注入される液剤は、前記案内溝及び前記内部液経路を通って流れ、前記液剤が患者の体内に注入される。【選択図】図３
0003166779.tif 000002
【実用新案登録請求の範囲】
【請求項１】
管状のベース及び弾性バルブを含むシリンジアダプタであって、
前記ベースは、該ベースの上側に形成された環状の壁であって、該環状の壁の内側に設けられた取付凹所と前記環状の壁の外面に形成された案内溝とを含む環状の壁と、
前記取付凹所に形成された底部であって、該底部を横手方向に貫通するように形成されておりかつ前記環状の壁の前記案内溝に連通している内部液経路を有する底部と、
前記ベースを貫通するように形成された排出経路であって、前記底部の前記内部液経路に連通することなく前記シリンジアダプタの外部に前記取付凹所を連通させている排出経路と、
前記ベースの前記環状の壁を取り囲むように嵌め込まれた投薬管であって、該投薬管の上部から上方に突出する注入管を有し、また前記ベースの前記取付凹所に連通した投薬管とを備え、
前記弾性バルブは、前記ベースの前記取付凹所と前記投薬管との間に取り付けられており、
前記ベースの前記底部に取り付けられた位置決環と、
該位置決環の上端に形成された曲折部と、
該曲折部に形成されたプランジャであって、前記投薬管の前記注入管内に向かって突出するプランジャと、
前記位置決環と前記曲折部と前記プランジャとの内側に設けられた空気チャンバであって、前記ベースの前記排出経路に連通した空気チャンバとを備える、シリンジアダプタ。
【請求項２】
前記ベースの前記排出経路は、前記ベースの前記底部を長手方向に貫通するように形成されている、請求項１に記載のシリンジアダプタ。
【請求項３】
前記ベースは該ベースの外面を取り囲むように形成されたフランジを備え、前記ベースの前記排出経路は、前記ベースの前記底部と、前記環状の壁と、前記フランジとを横手方向に貫通するように形成されている、請求項１に記載のシリンジアダプタ。
【請求項４】
前記投薬管は、該投薬管の前記上部付近で前記投薬管の内側に形成された係止部を有し、前記弾性バルブの前記位置決環は、前記投薬管の前記係止部に接した上端を有する、請求項１に記載のシリンジアダプタ。
【請求項５】
前記弾性バルブの前記プランジャは、該プランジャを横手方向に貫通するように形成された貫通穴を有する、請求項１から４のいずれか１項に記載のシリンジアダプタ。
【請求項６】
前記弾性バルブの前記プランジャは、該プランジャの上部に形成された割れ目を有する、請求項１から４のいずれか１項に記載のシリンジアダプタ。
【請求項７】
前記弾性バルブの前記プランジャは、中空であり、また前記プランジャの内部に設けられかつ前記弾性バルブの前記空気チャンバに連通した追加チャンバを有する、請求項１から４のいずれか１項に記載のシリンジアダプタ。
【請求項８】
前記弾性バルブの前記プランジャは、中空であり、また前記プランジャの内部に設けられかつ前記弾性バルブの前記空気チャンバに連通した追加チャンバを有し、
前記弾性バルブは、該弾性バルブの前記プランジャの前記追加チャンバと前記空気チャンバとから規定された内面と、前記弾性バルブの前記内面の一部に関連して形成された肥厚層とを有する、請求項１から３のいずれか１項に記載のシリンジアダプタ。
【請求項９】
前記ベースの前記底部は、前記ベースの前記取付凹所に対応した上面と、前記底部の前記上面に形成された環状溝とを有し、
前記弾性バルブの前記位置決環は、前記ベースの前記底部の前記環状溝に取り付けられた下端を有する、請求項１から４のいずれか１項に記載のシリンジアダプタ。
【請求項１０】
前記ベースは、該ベースから下方に突出しかつ前記ベースの前記底部の前記内部液経路に連通した連結管を有する、請求項９に記載のシリンジアダプタ。
【考案の詳細な説明】
【技術分野】
【０００１】
本考案は、ボールバルブを備えたシリンジアダプタ、特に針なしシリンジがそのシリンジアダプタを介して液剤を注射することを可能にするシリンジアダプタに関する。
【背景技術】
【０００２】
血液検査のような検診を受ける患者に注射針を刺す回数を減すべく、シリンジアダプタは、静脈注射バッグの配送管に取り付けられ、又は患者に直接取り付けられる。これにより、栄養剤又は液剤がシリンジアダプタを介して患者に注入され、患者は度重なる注射の不快感から開放される。
【０００３】
従来のシリンジアダプタは、投薬管と、該投薬管に取り付けられた弾性バルブであって、前記従来のシリンジアダプタを使用しないときに前記投薬管の開放端を確実に封止する弾性バルブとを含む。針なしシリンジが前記投薬管に差し込まれると、前記弾性バルブが押圧されて弧状となり、液剤が前記従来のシリンジアダプタを介して患者に注射される。しかし、針なしシリンジがシリンジアダプタから取り外されるとき、患者の血液又は液剤がシリンジアダプタに逆流し、前記従来のシリンジアダプタに残存してしまう。その結果として、再び注射をするとき、前記従来のシリンジアダプタに残存した前記血液又は前記液剤は、患者の体に再び注入され、患者を感染症の危険に晒す。さらに、前記投薬管内に残存する空気は、患者に注入され、患者の血管を拡張して患者に不快感を与える。
【０００４】
他の従来のシリンジアダプタは、管状ベースと、該管状ベースに取り付けられた蓋と、前記管状ベースに取り付けられたプランジャと、スプリングとを有する。前記プランジャは、前記スプリングにより押圧され、また前記管状ベースの開放端を選択的に封止する。前記プランジャが前記スプリングにより押圧されるために、上記した従来のシリンジアダプタを組み立てるために少なくとも４つの構成要素が必要となる。したがって、このシリンジアダプタの製造費は高価で、その製造工程は複雑である。さらに、金属性のスプリングが磁気共鳴画像（ＭＲＩ）スキャンの結果に影響を及ぼすから、ＭＲＩ検診中に患者は従来のシリンジアダプタを身につけることができない。その結果として、従来のシリンジアダプタの意図された効果、すなわち、患者への注射針を刺す回数を減らすという効果を得ることができない。
【考案の概要】
【考案が解決しようとする課題】
【０００５】
本考案の主な目的は、ボールバルブを備えたシリンジアダプタを提供することにある。
【課題を解決するための手段】
【０００６】
前記シリンジアダプタは、ベースと、該ベースの周囲に取り付けられた投薬管と、前記ベース及び前記投薬管に取り付けられた弾性バルブとを含む。前記ベースは、相互に連通した案内溝及び内部液体経路と、排出経路とを有する。
【考案の効果】
【０００７】
シリンジアダプタに注入された液剤が前記案内溝及び内部液体経路を通って流れ、前記液剤は患者の体内に注入される。シリンジアダプタ内の空気は排出経路を介して放出され、前記患者の体内に注入されないから、患者が痛みを感じることがない。さらに、前記シリンジアダプタの構成要素及び組立工程は簡易で、その製造費用は安価である。
【図面の簡単な説明】
【０００８】
【図１】本考案に従った、ボールバルブを備えるシリンジアダプタの第１の実施例の斜視図。
【図２】図１に示したシリンジアダプタの分解斜視図。
【図３】図１に示したシリンジアダプタの縦断面図。
【図４】図１に示したシリンジアダプタの使用時の縦断面図。
【図５】本考案に従った、ボールバルブを備えるシリンジアダプタの第２の実施例の使用時の縦断面図。
【図６】本考案に従った、ボールバルブを備えるシリンジアダプタの第３の実施例の縦断面図。
【図７】図６に示したシリンジアダプタの使用時の縦断面図。
【図８】本考案に従った、ボールバルブを備えるシリンジアダプタの第４の実施例の分解斜視図。
【図９】図８に示したシリンジアダプタの縦断面図。
【図１０】図８に示したシリンジアダプタの使用時の縦断面図。
【図１１】本考案に従った、ボールバルブを備えるシリンジアダプタの第５の実施例の縦断面図。
【図１２】図１１に示したシリンジアダプタの使用時の縦断面図。
【考案を実施するための形態】
【０００９】
図１及び４を参照するに、本考案に係る、ボールバルブを備えるシリンジアダプタが、注射針を介して患者に通じる配送管４２に結合される。これにより、針なしシリンジ４１が、前記シリンジアダプタ及び配送管４２を介して患者に液剤を注入する。
【００１０】
図２を参照するに、本考案に係るシリンジアダプタの第１の実施例は、ベース１０と、投薬管２０と、弾性バルブ３０とを含む。
【００１１】
図３及び５を参照するに、ベース１０は、管状であり、また環状の壁１１と、底部１２と、連結管１３と、内部ねじ山１４と、フランジ１５と、排出経路１６、１６´とを有する。
【００１２】
環状の壁１１は、ベース１０の上側に形成されており、取付凹所１１１と、案内溝１１２とを有する。取付凹所１１１は、環状の壁１１の内側に設けられる。案内溝１１２は、環状の壁１１の外面に形成されている。底部１２は、取付凹所１１１の中に形成されており、上面と、環状溝１２１と、内部液経路１２２とを有する。環状溝１２１は、底部１２の上面に形成されている。内部液経路１２２は、底部１２を横手方向に貫通するように形成されており、環状の壁１１の案内溝１１２に連通している。
【００１３】
連結管１３は、ベース１０から下方に突出し、底部１２の内部液経路１２２に連通し、配送管４２に結合している。内部ねじ山１４は、連結管１３の内面の周辺に形成されているから、ベース１０は、内部ねじ山１４を介して他の管にねじ止め可能である。フランジ１５は、ベース１０の外面を取り囲むように形成されている。
【００１４】
排出経路１６、１６´は、ベース１０を貫通するように形成さており、また底部１２の内部液経路に連通することなく、取付凹所１１１を、前記シリンジアダプタの外部に連通させている。図４を参照するに、排出経路１６は、底部１２を長手方向に貫通するように形成され、連結管１３に連通している。図５を参照するに、前記シリンジアダプタの第２の実施例において、排出経路１６´は、底部１２と、環状の壁１１と、フランジ１５とを横手方向に貫通するように形成されている。
【００１５】
投薬管２０は、管状であり、またベース１０のフランジ１５に接してベース１０の環状の壁の周囲に確実に固定されており、さらに注入管２１と、係止部（stop）２３とを有する。注入管２１は、投薬管２０の上部から上方に突出し、ベース１０の取付凹所１１１に連通し、また注入管２１の外面の周辺に形成された外部ねじ山２２を有する。したがって、投薬管２０は、外部ねじ山２２を介して針なしシリンジ４１にねじ止めされ得る。係止部２３は、投薬管２０の上部に接するように投薬管２０の内面に形成されている。
【００１６】
弾性バルブ３０は、シリコン性で、かつ中空構造となっており、またベース１０の取付凹所１１１と投薬管２０とからなる内部空間に取り付けられており、位置決環３１と、曲折部３２と、プランジャ３３と、空気チャンバ３４とを有する。
【００１７】
位置決環３１は、ベース１０の底部１２に取り付けられており、下端と、上端と、厚さ寸法とを有する。位置決環３１の下端は、ベース１０の底部１２の環状溝１２１に取り付けられている。位置決環３１の上端は、投薬管２０の係止部２３に選択的に接する。曲折部３２は、位置決環３１の上端の周囲に形成されており、また位置決環３１の厚さ寸法よりも薄い厚さ寸法を有するから、位置決環３１よりも容易に曲折する。
【００１８】
プランジャ３３は、曲折部３２に形成され、注入管２１を封止するように投薬管２０の注入管２１の中に向かって突出しており、またプランジャ３３を横手方向に貫通するように形成された貫通穴３３１を有しているから、曲折可能である。空気チャンバ３４は、位置決環３１と、曲折部３２と、プランジャ３３との内側に設けられ、ベース１０の排出経路１６、１６´に連通している。
【００１９】
さらに、図３を参照するに、針なしシリンジ４１が投薬管２０の注入管２１に挿入される前に、弾性バルブ３０のプランジャ３３は、注入管２１内に突出し、注入管２１を封止している。
【００２０】
さらに、図４を参照するに、針なしシリンジ４１が投薬管２０の注入管２１に挿入されると、弾性バルブ３０のプランジャ３３が押圧されるから、弾性バルブ３０の曲折部３２及びプランジャ３３が曲げられ、また弾性バルブ３０の位置決環３１の上端が投薬管２０の係止部２３から乖離する。
【００２１】
これにより、針なしシリンジ４１内の前記液剤は、投薬管２０に注入され、弾性バルブ３０と投薬管２０との間の空間に満たされる。その後、前記液剤は、ベース１０の案内溝１１２と、内部液経路１２２と、連結管１３とを通って流れ、そして配送管４２と注射針とを介して患者の体内に注入される。
【００２２】
さらに、弾性バルブ３０の曲折部３２が、針なしシリンジ４１により押圧されて曲げられると、弾性バルブ３０の空気チャンバ３４の空気は、弾性バルブ３０の押圧を容易にすべく、ベース１０の排出経路１６、１６´を介して前記シリンジアダプタの外部に放出される。液剤と空気とが異なる経路を通るから、空気が患者の体内に注入されることはなく、患者は痛みから解放される。
【００２３】
さらに、図６を参照するに、前記シリンジアダプタの第３の実施例において、弾性バルブ３０のプランジャ３３Ａは、プランジャ３３Ａの上端に形成された割れ目３３２Ａを有する。プランジャ３３Ａが投薬管２０の注入管２１内に突出すると、プランジャ３３Ａが圧迫されて、割れ目３３２Ａが密閉される。
【００２４】
さらに、図７を参照するに、針なしシリンジ４１が弾性バルブ３０Ａのプランジャ３３Ａを押圧すると、プランジャ３３Ａが上方に開放して、裂け目３３２Ａは、断面が三角形の空間であって前記薬剤が通過することを許す空間となる。針なしシリンジ４１がプランジャ３３Ａを押圧すると常に開口する割れ目３３２Ａを有するプランジャ３３Ａは、前記液剤のシリンジアダプタへの注入を確実にする。その結果として、割れ目３３２Ａに残留する液剤は、清掃液が前記シリンジアダプタを清掃すべく注入されるときに清掃される。
【００２５】
さらに、図８及び９を参照するに、前記シリンジアダプタの第４の実施例において、弾性バルブ３０Ｂのプランジャ３３Ｂは、中空構造であり、またプランジャ３３Ｂにより規定された追加チャンバ３３３Ｂであって、弾性バルブ３０Ｂの空気チャンバ３４に連通し、扁円形（oblate）の追加チャンバ３３３Ｂを有する。
【００２６】
図１１を参照するに、前記シリンジアダプタの第５の実施例において、弾性バルブ３０Ｃのプランジャ３３Ｃは、中空構造であり、またプランジャ３３Ｃの内部に設けられて、弾性バルブ３０Ｃの空気チャンバ３４に連通した追加チャンバ３３３Ｃを有する。さらに、弾性バルブ３０Ｃは、内面と、肥厚層３５Ｃとを有する。弾性バルブ３０Ｃの前記内面は、空気チャンバ３４と、プランジャ３３Ｃの追加チャンバ３３３Ｃとから規定される。肥厚層３５Ｃは弾性バルブ３０Ｃの内面に関連して部分的に形成される。
【００２７】
図１０及び１２を参照するに、前記針なしシリンジが弾性バルブ３０Ｂ、３０Ｃのプランジャ３３Ｂ、３３Ｃを押圧すると、追加チャンバ３３３Ｂ、３３３Ｃは、プランジャ３３Ｂ、３３Ｃが曲げられることを可能にして、また、扁円形の追加チャンバ３３３Ｂ及び肥厚層３５Ｃは、プランジャ３３Ｂ、３３Ｃが特定の方向に向かって曲げられることを可能にする。さらに、追加チャンバ３３３Ｂ、３３３Ｃは、プランジャ３３Ｂ、３３Ｃを貫通するように形成されないから、前記薬剤が追加チャンバ３３３Ｂ、３３３Ｃを通って流れることはなく、液剤が追加チャンバ３３３Ｂ、３３３Ｃに残留することはない。
【００２８】
説明したように、前記シリンジアダプタは金属性のスプリングを必要としないから、前記シリンジアダプタの構成要素及び組立工程は簡易で、前記シリンジアダプタの製造費は安価となる。さらに、磁気共鳴画像（ＭＲＩ）スキャンを受ける際に患者からシリンジアダプタを取り外す必要がない。
【符号の説明】
【００２９】
１０    ベース
１１    環状の壁
１２    底部
１３    連結管
１４    内部ねじ山
１５    フランジ
１６    排出経路
２０    投薬管
２１    注入管
２３    係止部
３０    弾性バルブ
３１    位置決環
３２    曲折部
３３    プランジャ
３４    空気チャンバ
３５Ｃ    肥厚膜
４１    シリンジ
４２    配送管
【図１】
0003166779.tif 000003
【図２】
0003166779.tif 000004
【図３】
0003166779.tif 000005
【図４】
0003166779.tif 000006
【図５】
0003166779.tif 000007
【図６】
0003166779.tif 000008
【図７】
0003166779.tif 000009
【図８】
0003166779.tif 000010
【図９】
0003166779.tif 000011
【図１０】
0003166779.tif 000012
【図１１】
0003166779.tif 000013
【図１２】
0003166779.tif 000014